(57)【要約】【課題】   自動製氷機を備えた家庭用冷蔵庫において、この自動製氷機を冬場等に使用しない使用者がいる。このため、製氷室から製氷皿を取り外して、この製氷室を冷凍室として使用する使用者がいる。しかしながら、製氷皿を外すだけでは、有効利用が不十分である。【解決手段】  本発明では、受水製氷皿(2)とこの受水製氷皿(2)を所定角度回動して脱氷工程を行うための電動モータ(8)とが設置された支持枠部材(9)を備え、この支持枠部材(9)が冷蔵庫本体部から切離可能に設置されているので、受水製氷皿(2)だけでなく電動モータ(8)も取り外すことが可能となる。更に、この受水製氷皿(2)と電動モータ(8)の取り外しは、支持枠部材(9)により一度に行われるので、取り外し作業も容易である。【選択図】  図１
2004294061.tif 000002
【特許請求の範囲】
【請求項１】
自動製氷機を有する冷蔵庫において、
受水製氷皿(2)とこの受水製氷皿(2)を所定角度回動して脱氷工程を行うための電動モータ(8)とが設置された支持枠部材(9)を備え、この支持枠部材(9)が冷蔵庫本体部から切離可能に設置されていることを特徴とする冷蔵庫。
【請求項２】
冷蔵庫の自動製氷機において、
受水製氷皿(2)とこの受水製氷皿(2)を所定角度回動して脱氷工程を行うための電動モータ(8)とが設置された支持枠部材(9)を備え、この支持枠部材(9)が冷蔵庫本体部から切離可能に設置されていることを特徴とする自動製氷機。
【発明の詳細な説明】
【技術分野】
【０００１】
本発明は、自動製氷機及び家庭用冷凍冷蔵庫に関するものである。
【背景技術】
【０００２】
図３に示したように、製氷室１に設置された受水製氷皿２と、それより上方に設置された貯水タンク３と、貯水タンク３の図示しない水を受水製氷皿２に適宜供給するための給水ポンプ４とを備え、受水製氷皿２に溜めた水を給水ポンプ４により適宜搬送し、受水製氷皿２に受け貯めた水を図示しない蒸発器で冷媒が蒸発する際に奪う蒸発熱により冷却した冷風を、製氷室１に開設された図示しない冷風吹出し口から供給して冷却・製氷し、受水製氷皿２を反転して受水製氷皿２で製氷した氷を貯氷箱５に落として常に所定範囲の氷がストックできるようにした家庭用の冷凍冷蔵庫（以下、単に冷蔵庫と言う）１００Ｘが周知である。
【０００３】
なお、受水製氷皿２の底面には温度センサが設置され、その温度センサが検出する温度に基づいて受水製氷皿２で氷ができているかいないかを判定し、氷ができるまで冷風を供給して冷却し、所定温度に達して氷ができると送風を停止するようになっている。
【０００４】
また、受水製氷皿２には貯氷量を検出するための検知レバーが取り付けられ、所定量を超える氷が貯氷箱５に溜まっているときには受水製氷皿２に氷ができていても貯氷箱５に落とす脱氷動作を行わず、貯氷箱５にある氷が所定量より少なくなると脱氷して貯氷箱５に落とすように構成されていて、貯氷箱５には常に所定範囲の氷が蓄えられる構成となっている。
【０００５】
しかし、上記従来の家庭用冷蔵庫においては、受水製氷皿が取り外しできない構造となっているため、受水製氷皿に水垢など付着してもその清掃ができないと云った問題点があり、受水製氷皿を取り外して清掃などができるようにする必要があり、それが解決すべき課題となっていた。
【０００６】
上記従来技術の課題を解決するため、給水手段、受水製氷皿、脱氷手段を備えた自動製氷機を有する家庭用冷蔵庫において、自動製氷機の少なくとも受水製氷皿を着脱可能に設けた家庭用冷蔵庫が提案されている。
【特許文献１】特開2000-329434号公報
【発明の開示】
【課題を解決するための手段】
【０００７】
本発明は自動製氷機を有する冷蔵庫において、受水製氷皿２とこの受水製氷皿２を所定角度回動して脱氷工程を行うための電動モータ８とが設置された支持枠部材９を備え、この支持枠部材９が冷蔵庫本体部から切離可能に設置されていることを特徴とする。
【０００８】
また、本発明は、冷蔵庫の自動製氷機において、受水製氷皿２とこの受水製氷皿２を所定角度回動して脱氷工程を行うための電動モータ８とが設置された支持枠部材９を備え、この支持枠部材９が冷蔵庫本体部から切離可能に設置されていることを特徴とする。
【発明の効果】
【０００９】
本発明は、電動モータ８が切離可能である。
【発明を実施するための最良の形態】
【００１０】
以下、本発明の一実施形態を図１と図２に基づいて詳細に説明する。なお、理解を容易にするため、図１、図２においても前記図３において説明した部分と同様の機能を有する部分には、同一の符号を付した。
【００１１】
本発明の家庭用の冷蔵庫１００においては、それ自体は従来周知の製氷工程が完了したか否かを判定するための温度センサ６と、貯氷箱５に所定の量の氷が貯蔵されているか否かを判定するための検氷レバー７とが備えられた受水製氷皿２と、その受水製氷皿２を所望時に所定角度回動して脱氷工程を行うための電動モータ８とが設置された支持枠部材９が、冷蔵庫本体部側の構造部材２０と切離可能に設置されている。
【００１２】
すなわち、支持枠部材９は、例えばその両側に突出した係合膨出部１０が、構造部材２０に設けられた装着溝２１に遊嵌可能の構成されて、手前側から取り外し可能に挿入設置されている。
【００１３】
そして、支持枠部材９の背面側には、電気ポットなどの電源コード接続端子で従来周知の切離／接続操作が容易な構造部材２０側のマグネット接続端子１１Ａと接続するためのマグネット接続端子１１Ｂが設けられ、そのマグネット接続端子１１Ｂと、温度センサ６、検氷レバー７、電動モータ８とが図示しない電力線と制御線とで連結され、前記従来の冷蔵庫１００Ｘと同様に、受水製氷皿２で製氷した氷が常に貯氷箱５内に所定量だけ蓄えられる構成となっている。
【００１４】
したがって、上記構成の本発明の冷蔵庫１００によれば、マグネット接続端子１１Ａからマグネット接続端子１１Ｂを切り離し、支持枠部材９の係合膨出部１０を構造部材２０の装着溝２１から抜き取れば、受水製氷皿２が組み付けられている支持枠部材９を構造部材２０から切離することができる。
【００１５】
そのため、受水製氷皿２の製氷面などを洗うことが簡単に行える。また、温度センサ６、検氷レバー７、電動モータ８の電力線と制御線は、構造部材２０の装着溝２１に支持枠部材９の係合膨出部１０を嵌めて支持枠部材９を奥まで挿し込むことで、構造部材２０側のマグネット接続端子１１Ａに支持枠部材９側のマグネット接続端子１１Ｂが接続され、それぞれ対応する線に確実に接続されるので、電気配線の切離／接続操作も極めて簡単に行える。
【００１６】
本発明では、給水手段、受水製氷皿、脱氷手段を備えた自動製氷機を有する家庭用冷蔵庫において、自動製氷機の少なくとも受水製氷皿を着脱可能に設けると共に、受水製氷皿を含む着脱可能部材への電気配線をマグネット接続により切離可能に設けるようにした家庭用冷蔵庫を提供している。
【００１７】
なお、本発明は上記実施形態に限定されるものではないので、特許請求の範囲に記載の趣旨から逸脱しない範囲で各種の変形実施が可能である。
【００１８】
例えば、支持枠部材９の構造部材２０への取付構造は、図２に示した構造以外のものであっても良い。
【００１９】
以上説明したように、本発明は、給水手段、受水製氷皿、脱氷手段を備えた自動製氷機を有する家庭用冷蔵庫において、自動製氷機の少なくとも受水製氷皿部分を着脱可能に設けると共に、脱氷手段への電気配線をマグネット接続により切離可能に設けるようにした冷蔵庫であるので、自動製氷機の受水製氷皿などを取り外して洗うことが可能になり、清潔な状態を維持することが容易になった。また、電気配線の切離／接続操作も簡単に行える。
【図面の簡単な説明】
【００２０】
【図１】本発明の冷蔵庫の説明図である。
【図２】本発明の冷蔵庫の要部の説明図である。
【図３】従来技術を示す説明図である。
【符号の説明】
【００２１】
１  製氷室
２  受水製氷皿
３  貯水タンク
４  給水ポンプ
５  貯氷箱
６  温度センサ
７  検氷レバー
８  電動モータ
９  支持枠部材
１０  係合膨出部
１１Ａ、１１Ｂ  マグネット接続端子
２０  構造部材
２１  装着溝
１００、１００Ｘ  冷蔵庫
【図１】
2004294061.tif 000003
【図２】
2004294061.tif 000004
【図３】
2004294061.tif 000005